【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
流体入口マニホールドと、
流体出口マニホールドと、
前記流体入口マニホールドおよび流体出口マニホールドと連通するように構成された複数の熱伝達チャネルと、
前記流体入口マニホールド内に位置する充填材とを有している熱交換器。
【請求項２】
請求項１において、
前記流体入口マニホールドに進入する流体が、少なくとも２つの相を含んでいる熱交換器。
【請求項３】
請求項１において、
前記相が、気体および液体を含んでいる熱交換器。
【請求項４】
請求項１において、
前記熱交換器が、プレート型熱交換器である熱交換器。
【請求項５】
請求項４において、
前記プレート型熱交換器が、対向流の熱交換器である熱交換器。
【請求項６】
請求項４において、
前記プレート型熱交換器が、短経路のプレート型熱交換器である熱交換器。
【請求項７】
請求項１において、
前記充填材が、充填材要素を有している熱交換器。
【請求項８】
請求項７において、
前記充填材要素が、無作為な充填材要素を含んでいる熱交換器。
【請求項９】
請求項７において、
前記充填材要素が、球形のボールを含んでいる熱交換器。
【請求項１０】
請求項７において、
前記充填材要素が、球形要素、長円体要素、リング要素、円柱形要素、サドル要素、回転楕円体要素、リボン要素およびガーゼ要素で構成されるグループから選択される熱交換器。
【請求項１１】
請求項７において、
前記充填材要素が、第１の大きさ最頻値を有する第１組の充填材要素と第１の大きさ最頻値と異なる第２の大きさ最頻値を有する第２組の充填材要素とを少なくとも含んで、少なくとも２つの大きさ最頻値を有している熱交換器。
【請求項１２】
請求項７において、
前記充填材要素の寸法が、前記複数の熱伝達チャネルのうちの１つの幅よりも大きい熱交換器。
【請求項１３】
請求項１において、
構造化部材を前記流体入口マニホールド内に位置させてさらに有している熱交換器。
【請求項１４】
請求項１３において、
前記構造化部材が、前記充填材を固定している熱交換器。
【請求項１５】
請求項１３において、
前記構造化部材が円柱形である熱交換器。
【請求項１６】
請求項１３において、
前記構造化部材が円錐形であって第１の端部および第２の端部を有しており、前記第１の端部が第２の端部よりも大きい断面を有している熱交換器。
【請求項１７】
請求項１６において、
前記第２の端部が、前記入口マニホールドの流れのない端部の近くに位置している熱交換器。
【請求項１８】
請求項１３において、
前記構造化部材が、自身の長さ方向に沿って変化する断面積を有している熱交換器。
【請求項１９】
請求項１において、
前記熱交換器を横切っての圧力低下が、毎秒３メートルの流速について５ｐｓｉ以下である熱交換器。
【請求項２０】
請求項１において、
ヘッダーに充填材料を使用することによって、全体としての熱伝達係数が少なくとも２％改善されている熱交換器。
【請求項２１】
第１組の流体チャネルおよび少なくとも第２組の流体チャネルを規定している複数の平行な熱伝達プレートと、
前記第１組の流体チャネルと連通するように構成された第１の流体入口ポートと、
前記第１組の流体チャネルと連通するように構成された第１の流体出口ポートと、
前記第２組の流体チャネルと連通するように構成された第２の流体入口ポートと、
前記第２組の流体チャネルと連通するように構成された第２の流体出口ポートと、
前記第１の流体入口ポートおよび第２の流体入口ポートの少なくとも一方に位置する充填材入り分配器とを有している熱交換器。
【請求項２２】
圧縮機と、
その圧縮機に接続された少なくとも１つの熱交換器とを有しており、
前記少なくとも１つの熱交換器が、ヘッダーと、そのヘッダー内に位置する充填材と、熱伝達チャネルとを有しており、その熱伝達チャネルが、前記ヘッダーおよび充填材を通過する流体を受け取るように構成されている冷凍システム。
【請求項２３】
請求項２２において、
混合冷媒をさらに含んでいる冷凍システム。
【請求項２４】
請求項２２において、
前記ヘッダーが２相の流体を受け取るように構成されている冷凍システム。
【請求項２５】
請求項２２において、
前記少なくとも１つの熱交換器が、過熱低減器、凝縮器、少なくとも２つの冷媒流の間で熱を交換する熱交換器および蒸発器で構成されるグループから選択される熱交換器として機能する冷凍システム。
【請求項２６】
請求項２２において、
前記少なくとも１つの熱交換器が、冷凍セクションの構成要素を含んでいる冷凍システム。
【請求項２７】
請求項２６において、
前記冷凍セクションが分離器を有している冷凍システム。
【請求項２８】
請求項２２において、
前記少なくとも１つの熱交換器が、プレート型熱交換器である冷凍システム。
【請求項２９】
請求項２２において、
前記少なくとも１つの熱交換器が、水平に向けられている冷凍システム。
【請求項３０】
請求項２２において、
前記少なくとも１つの熱交換器が、垂直に向けられている冷凍システム。
【請求項３１】
請求項２２において、
前記少なくとも１つの熱交換器が、高温端を上にして垂直に向けられている冷凍システム。
【請求項３２】
請求項２２または２３において、
極低温の冷凍システムである冷凍システム。
【請求項３３】
熱交換のための方法であって、
第１組の流体チャネルおよび少なくとも第２組の流体チャネルを規定している複数の平行な熱伝達プレートと、前記第１組の流体チャネルと連通するように構成された第１の流体入口ポートと、前記第１組の流体チャネルと連通するように構成された第１の流体出口ポートと、前記第２組の流体チャネルと連通するように構成された第２の流体入口ポートと、前記第２組の流体チャネルと連通するように構成された第２の流体出口ポートと、前記第１の流体入口ポートおよび第２の流体入口ポートの少なくとも一方に位置する充填材入り分配器とを有している熱交換器において、前記第１の流体入口ポート、前記第１組の流体チャネルおよび前記第１の流体出口ポートを通って第１の流体を流すステップと、
前記第２組の流体チャネルを通って第２の流体を流すことで、前記複数の平行な熱伝達プレートを介して前記第１の流体と第２の流体との間で熱を交換するステップとを含んでいる方法。
【請求項３４】
請求項３３において、
熱伝達媒体の冷却、ヒートシンクの冷却、物品の冷却、気体流の冷却、真空ポンプシステムのクライオコイルの冷却、生物医学冷凍庫の冷却、検出器の冷却、工業プロセスでの熱交換、化学プロセスでの熱交換および医薬用原料の調製での熱交換で構成されるグループから選択される少なくとも１つのプロセスに使用される方法。
【請求項３５】
請求項３４において、
半導体ウエハを冷却するために使用される方法。
【請求項３６】
請求項３４において、
熱伝達媒体またはヒートシンクを使用して物品を間接的に冷却するステップをさらに含んでいる方法。
【請求項３７】
請求項３４において、
気体流を冷却して水蒸気を凝縮させるステップをさらに含んでいる方法。
【請求項３８】
請求項３４において、
深冷分離に使用するために気体流を冷却するステップをさらに含んでいる方法。
【請求項３９】
冷凍システムの補修方法であって、
前記冷凍システムに組み合わせられた熱交換器のマニホールドに充填材を挿入するステップを含んでおり、
前記熱交換器が、前記マニホールドおよび熱伝達チャネルを有していて、その熱伝達チャネルが、前記マニホールドおよび充填材を通過する流体を受け取るように構成される方法。
【請求項４０】
請求項３９において、
前記充填材が、無作為な充填材である方法。
【請求項４１】
請求項３９において、
前記冷凍システムが、混合冷媒システムである方法。
【請求項４２】
請求項３９において、
前記冷凍システムが、極低温の冷凍システムである方法。
【請求項４３】
冷凍システムの製造方法であって、
前記冷凍システムに組み合わせられる熱交換器のマニホールドに充填材を挿入するステップを含んでおり、
前記熱交換器が、前記マニホールドおよび熱伝達チャネルを有していて、その熱伝達チャネルが、前記マニホールドおよび充填材を通過する流体を受け取るように構成される方法。
【請求項４４】
請求項４３において、
充填材が、無作為な充填材を含んでいる方法。
【請求項４５】
請求項４３において、
前記冷凍システムが、混合冷媒システムを含んでいる方法。
【請求項４６】
請求項４３において、
前記冷凍システムが、極低温の冷凍システムである方法。